(57)【特許請求の範囲】
【請求項１】
水晶体の少なくとも一部が摘出された眼の後房に配置されて、水晶体のレンズ機能を代行するレンズ部と、
後房に配置された前記レンズ部の側方に斜め前方に向けて延出する形状により形成され、眼の虹彩の後房側の一部を後房側から挟持して前記レンズ部を支持する挟持部と、
前記レンズ部の側方に延出する形状により形成され、その形状のうちで前記レンズ部の中心から最も遠い部分が毛様溝の内部に当接して、前記挟持部とともに前記レンズ部を支持する延設部と、
を備えたことを特徴とする眼内レンズ。
【請求項２】
前記延設部は、前記レンズ部の側縁または前記挟持部の側縁における周方向の複数箇所から、脚状の形状によってレンズ部の中心から遠ざかる方向に延出する複数個の脚部を備える請求項１に記載の眼内レンズ。
【請求項３】
前記脚部の先端が、眼の毛様溝の内部に挿入されて毛様溝の内奥の少なくとも一部に当接する請求項２に記載の眼内レンズ。
【請求項４】
前記挟持部の形状は、前記挟持部における虹彩を挟持する部位が、前記レンズ部よりも眼内前方に位置するような形状である請求項１ないし３のいずれか１項に記載の眼内レンズ。
【請求項５】
前記延設部は、毛様溝の内部に周方向に渡って挿入される環形状の環状部を有する請求項１ないし４のいずれか１項に記載の眼内レンズ。
【請求項６】
前記延設部は、可撓性を有し、その延設部のうち前記レンズ部の中心から最も遠い部分が眼の毛様溝の内部に当接した状態で、前記延設部の少なくとも一部が撓む大きさを有する請求項１ないし５のいずれか１項に記載の眼内レンズ。
【請求項７】
前記延設部は屈曲した形状を有し、その屈曲した形状は、その延設部のうち前記レンズ部の中心から最も遠い部分が眼の毛様溝の内部に当接した状態で、毛様溝の動きに応じて、前記レンズ部が眼内の前後方向に動くことを可能にする形状である請求項１ないし６のいずれか１項に記載の眼内レンズ。
【請求項８】
前記脚部は、脚形状における、前記レンズ部に近い側の端部と前記レンズ部から遠い側の端部との間の位置で屈曲する屈曲部を有し、
前記レンズ部が眼の後房に配置された状態において、毛様溝が前記脚部を押圧すると前記レンズ部が眼内前方に押し出されるように、前記脚部の前記レンズ部に近い側の端部は前記屈曲部よりも眼の前方に位置し、前記脚部の前記レンズ部から遠い側の端部は前記屈曲部よりも眼の前方に位置する形状を前記脚部は備える請求項２に記載の眼内レンズ。
【請求項９】
前記延設部において、毛様溝の内部に当接する部分には、毛様溝の内部の凹凸と嵌合する凹部または凸部が形成されている請求項１ないし８のいずれか１項に記載の眼内レンズ。
【請求項１０】
前記延設部の側面あるいは前記レンズ部の側縁から延設されて毛様体の表面に当接する副延設部を備えた請求項１ないし９のいずれか１項に記載の眼内レンズ。
【請求項１１】
前記副延設部は、前記レンズ部が眼の後房に配置された状態において、毛様体によって押圧されると前記レンズ部を眼内前方に押し出す力を伝達するように、前記延設部の側面あるいは前記レンズ部の側縁から眼内後方に向かって延設された形状を備える請求項１０に記載の眼内レンズ。
【発明の詳細な説明】
【技術分野】
【０００１】
本発明は眼内レンズに関する。
【背景技術】
【０００２】
周知のとおり、眼の白内障に対する治療として、患者の白濁した水晶体を摘出した後に、眼内レンズを眼内に挿入する手術が広く行われている。例えば下記特許文献１には、白内障の治療において水晶体摘出後に眼内に挿入して毛様体に縫合する眼内レンズが提案されている。
【先行技術文献】
【特許文献】
【０００３】
【特許文献１】特許第２７９２５８８号公報
【発明の概要】
【発明が解決しようとする課題】
【０００４】
特許文献１に記載された技術では、眼内レンズを毛様体に縫合するが、患者の負担を考えると、水晶体摘出後に縫合しないで眼内に固定できる眼内レンズが望まれる。その際、縫合なしでも確実に眼内に固定できるためのしくみ（形状）を開発することが必要である。
【０００５】
そこで本発明が解決しようとする課題は、水晶体摘出後の眼内に、縫合なしで確実に固定することができる眼内レンズを提供することにある。
【課題を解決するための手段】
【０００６】
上記課題を解決するために、本発明に係る眼内レンズは、水晶体の少なくとも一部が摘出された眼の後房に配置されて、水晶体のレンズ機能を代行するレンズ部と、後房に配置された前記レンズ部の側方に斜め前方に向けて延出する形状により形成され、眼の虹彩の後房側の一部を後房側から挟持して前記レンズ部を支持する挟持部と、前記レンズ部の側方に延出する形状により形成され、その形状のうちで前記レンズ部の中心から最も遠い部分が毛様溝の内部に当接して、前記挟持部とともに前記レンズ部を支持する延設部と、を備えたことを特徴とする。
【０００７】
これにより本発明に係る眼内レンズは、挟持部と延設部とを備えて、挟持部によって虹彩の後房側の一部を挟持し、延設部を毛様溝の内部に当接させる。したがって挟持部と延設部とによる複合的な固定によって、縫合なしで、後房に確実に固定される眼内レンズが実現できる。
【０００８】
また前記延設部は、前記レンズ部の側縁または前記挟持部の側縁における周方向の複数箇所から、脚状の形状によってレンズ部の中心から遠ざかる方向に延出する複数個の脚部を備えるとしてもよい。
【０００９】
この発明によれば、延設部を脚状の形状を有する複数の脚部として形成するので、簡素な構造、形状により、確実に後房に固定される眼内レンズが実現できる。
【００１０】
また前記脚部の先端が、眼の毛様溝の内部に挿入されて毛様溝の内奥の少なくとも一部に当接するとしてもよい。
【００１１】
この発明によれば、延設部を脚状の形状を有する複数の脚部として形成して、脚部の先端を毛様溝の内部に当接させるので、脚状の部分を備えるという簡素な構造とその先端の毛様溝内部への当接という簡素な方法により、挟持部による挟持とも協働して、眼内レンズを確実に後房に固定することができる。
【００１２】
また前記挟持部の形状は、前記挟持部における虹彩を挟持する部位は、前記レンズ部よりも眼内前方に位置するような形状であるとしてもよい。
【００１３】
この発明によれば、挟持部の形状を、虹彩を挟持する部位がレンズ部よりも眼内前方に位置するような形状とするので、レンズ部を挟持部（および延設部）により眼内の後房に固定した状態において、レンズ部をより後方に位置させることができ、これにより、レンズ部と虹彩との間に十分な間隔を設けることができる。したがってレンズ部と虹彩の癒着が効果的に抑制できる。
【００１４】
また前記延設部は、毛様溝の内部に周方向に渡って挿入される環形状の環状部を有するとしてもよい。
【００１５】
この発明によれば、延設部が毛様溝の内部に周方向に渡って挿入される環形状の環状部を有するので、延設部を毛様溝に挿入した際に、毛様溝の周方向に渡って広い範囲で、延設部と毛様溝内部とを当接させることができる。したがって眼内レンズを確実に後房に固定できる。
【００１６】
また前記延設部は、可撓性を有し、その延設部のうち前記レンズ部の中心から最も遠い部分が眼の毛様溝の内部に当接した状態で、前記延設部の少なくとも一部が撓む大きさを有するとしてもよい。
【００１７】
この発明によれば、延設部に可撓性を持たせるとともに、その大きさを、毛様溝の内部に挿入して当接した状態で、延設部の少なくとも一部が撓むような大きさにする。これにより、延設部が毛様溝の内部をある程度の力で押圧する状態となるので、延設部の先端が毛様溝から外れることが効果的に回避されて、眼内レンズが確実に後房に固定できる。
【００１８】
また前記延設部は屈曲した形状を有し、その屈曲した形状は、その延設部のうち前記レンズ部の中心から最も遠い部分が眼の毛様溝の内部に当接した状態で、毛様溝の動きに応じて、前記レンズ部が眼内の前後方向に動くことを可能にする形状であるとしてもよい。
【００１９】
この発明によれば、延設部が毛様溝に固定された状態で、毛様体が動くとそれに応じてレンズ部が眼内の前後方向に動くような形状を延設部が有する。したがって、患者が眼の焦点を合わせようとして毛様体を動かす作用をすると、それに応じてレンズ部が前後に動くので、対象までの距離に応じて眼の焦点を合わせることができる眼内レンズが実現できる可能性を有する。
【００２０】
また前記脚部は、脚形状における、前記レンズ部に近い側の端部と前記レンズ部から遠い側の端部との間の位置で屈曲する屈曲部を有し、前記レンズ部が眼の後房に配置された状態において、毛様溝が前記脚部を押圧すると前記レンズ部が眼内前方に押し出されるように、前記脚部の前記レンズ部に近い側の端部は前記屈曲部よりも眼の前方に位置し、前記脚部の前記レンズ部から遠い側の端部は前記屈曲部よりも眼の前方に位置する形状を前記脚部は備えるとしてもよい。
【００２１】
この発明によれば、脚部の形状を具体的に、レンズ部に近い側から眼内後方へ延び、その後屈曲して眼内前方へ向けて延びる形状とする。このように屈曲した形状により、患者が眼の焦点を合わせようとして毛様溝を動かす作用をすると、それに応じてレンズ部が前後に動くので、対象までの距離に応じて眼の焦点を合わせることができる眼内レンズが実現できる。
【００２２】
また前記延設部において、毛様溝の内部に当接する部分には、毛様溝の内部の凹凸と嵌合する凹部または凸部が形成されているとしてもよい。
【００２３】
この発明によれば、延設部の毛様溝の内部に当接する部分に凹部または凸部を形成して、毛様溝の内部の凹凸と嵌合するようにするので、毛様溝との凹凸嵌合により、延設部の毛様溝内の固定がより確実にできる。
【００２４】
また前記延設部の側面あるいは前記レンズ部の側縁から延設されて毛様体の表面に当接する副延設部を備えたとしてもよい。
【００２５】
この発明によれば、虹彩を挟持する挟持部、毛様溝の内部に当接する延設部に加えて、延設部の側面あるいはレンズ部の側縁から延設されて毛様体の表面に当接する副延設部も備えるので、眼内レンズの眼内への固定がさらに確実となり、縫合なしで確実に固定できる。
【００２６】
また前記副延設部は、前記レンズ部が眼の後房に配置された状態において、毛様体によって押圧されると前記レンズ部を眼内前方に押し出す力を伝達するように、前記延設部の側面あるいは前記レンズ部の側縁から眼内後方に向かって延設された形状を備えるとしてもよい。
【００２７】
この発明によれば、毛様体の表面に当接する副延設部が、延設部の側面あるいは前記レンズ部の側縁から眼内後方に向かって延設されており、これにより毛様体によって押圧されると前記レンズ部を眼内前方に押し出す力を伝達する。したがって、患者が眼の焦点を合わせようとして毛様体を動かす作用をすると、それに応じてレンズ部が前後に動くので、対象までの距離に応じて眼の焦点を合わせることができる眼内レンズが実現できる。
【図面の簡単な説明】
【００２８】
【図１】本発明の実施例１における眼内レンズの斜視図。
【図２】実施例１における眼内レンズの側面図。
【図３】実施例１における眼内レンズの正面図。
【図４】眼内レンズを眼内に挿入、固定した状態を示す図。
【図５】眼内レンズの運動の様子の例を示す側面図。
【図６】実施例２の眼内レンズの正面図。
【図７】実施例２の眼内レンズの断面図。
【図８】実施例３の眼内レンズの正面図。
【図９】実施例４の眼内レンズの正面図。
【図１０】実施例５の眼内レンズの正面図。
【図１１】実施例６の眼内レンズの正面図。
【図１２】脚部の先端の第１の例を示す図。
【図１３】脚部の先端の第２の例を示す図。
【図１４】脚部の先端の第３の例を示す図。
【図１５】脚部の先端の第４の例を示す図。
【図１６】水晶体摘出後の毛様体と毛様溝の様子の例を示す図。
【図１７】脚部の先端の凹部の例を示す図。
【図１８】脚部の先端の凹部の機能を示す図。
【図１９】実施例７の眼内レンズの斜視図。
【図２０】実施例７の眼内レンズの側面図。
【図２１】実施例７の眼内レンズを眼内に挿入、固定した状態を示す図。
【図２２】実施例７の眼内レンズの運動の様子の例を示す側面図。
【図２３】実施例８の眼内レンズの断面図。
【図２４】副脚部の先端の凹部の例を示す図。
【図２５】副脚部の先端の凹部の機能を示す図。
【発明を実施するための形態】
【００２９】
以下、本発明の実施例を図面を参照しつつ説明する。まず図１から図３は、本発明の１実施例における眼内レンズ１である。図１は眼内レンズ１の斜視図、図２は側面図、図３は正面図である（なお側面、正面などの方向に関する記載は、眼内レンズを眼内に固定した患者の顔（あるいは眼）における方向（側面、正面など）を指すとする）。
【００３０】
眼内レンズ１は、レンズ２、挟持部３、脚部４（延設部）を備える。レンズ２は、例えば白内障により白濁した水晶体を患者の眼から摘出した後に、眼の後房（虹彩より後ろの領域）に配置して、水晶体のレンズ機能を代行する。
【００３１】
挟持部３は、虹彩を挟むことによりレンズ２を後房内に支持、固定する。挟持部３は、１対のアーム３０、３０を備える。図２に示されたとおり、アーム３０、３０は、レンズ２の図示左右両側の側縁から延出して形成され、途中から屈曲して、虹彩を挟持していないときは両アーム３０、３０の先端３１、３１が接するように形成されている。
【００３２】
挟持部３は弾性（可撓性、柔軟性）を有する材質により形成され、医師（施術者）が挟持部３を弾性変形させて、虹彩の後房に面する部分の一部をアーム３０、３０の先端３１、３１の間で摘むようにする。これにより、アーム３０、３０の弾性復元力によって虹彩を挟持し続けることになる。眼内レンズ３の図示左右両側に形成された挟持部３で、この挟持操作を同じように行うことによって、レンズ２が後房内に支持される。
【００３３】
図２のとおり、挟持部３の１対のアーム３０、３０はレンズ２から眼の前方へ向けて斜め方向に伸びる（すなわちアーム３０、３０の先端３１は、その根元側よりも前方に位置する）形状であるとすればよい（なお上述のとおり前方、後方などの記載も、眼内レンズ１を眼内に装着した患者の顔における前方、後方を指すとする）。これにより、後述するようにレンズ２と虹彩との間の間隔を設けることができる。これはレンズ２と虹彩の間の癒着を防止（抑制）するとの重要な効果を生む。
【００３４】
脚部４は、図１から図３の実施形態では、４本の脚からなる構造を有する。４本の脚は、屈曲部４０、４１を有し、屈曲部４０よりもレンズ２側の根元部４２と、屈曲部４０、４１の間の中間部４３と、屈曲部４１よりも先端側の先端部４４とを備える。図２に示すとおり、根元部４２は、レンズ２よりも後方に延出する（レンズ２よりも屈曲部４０の方が眼内の後方にある）形状である。中間部４３は、屈曲部４０から眼の前方へ延出する（屈曲部４０よりも屈曲部４１の方が眼内の前方にある）形状である。先端部４４はレンズと（略）平行方向に延びる形状である。
【００３５】
なお図１から図３の脚部４は１例に過ぎず、後述するように本発明では脚部４は多様な形状があり得る。挟持部３、脚部４は、例えば樹脂材料などによりレンズ２と一体で成型すればよい。あるいはそれらをレンズ２と別体で形成して、後で接合（接着など）してもよい。
【００３６】
図４には、図１から図３の眼内レンズ１が装着（固定）された眼の断面図が示されている。公知のとおり、眼内は、虹彩１０１よりも前方は前房、後方は後房と呼ばれるが、眼内レンズ１は、このうち後房に配置される。虹彩１０１の後側には毛様体１０２があり、毛様体１０２の眼内中央側で通常は水晶体が支持される。虹彩１０１と毛様体１０２の間の周方向に続く溝状の領域が毛様溝１０３と呼ばれる。
【００３７】
白内障により水晶体を全て摘出した後の状態で、角膜１００の一部を切開し、そこから眼内レンズ１を後房に挿入する。その際、例えば眼内レンズ１の弾性（柔軟性）を利用して、眼内レンズ１を丸めてカートリッジに挿入し、そのカートリッジの先端を角膜１００を通じて後房まで到達させて、そこへ眼内レンズ１を排出すればよい。
【００３８】
眼内レンズ１を後房へ固定する際には、挟持部３により虹彩を挟持し、かつ脚部４を毛様溝１０３に挿入して固定する。このうち挟持部３の方では、虹彩の裏面の一部を左右の挟持部３、３のアームによって摘むようにして挟持する。また脚部４の方では、毛様溝１０３の最奥部に脚部４の先端を当接させて固定する。なお脚部４の先端が当接するのは、毛様溝１０３の必ずしも最奥部でなくてもよく、毛様溝１０３の内部の少なくとも一部に当接すればよい。
【００３９】
本発明の主要なポイントとして、挟持部３、脚部４を含む眼内レンズ１のいずれの部位も眼内に縫合しない。また脚部４の先端を毛様溝１０３に挿入した状態で脚部４が少し撓む程度に脚部４の長さは設計すればよい。以上のとおり挟持部と脚部とによる２種類の方法を用いた複合的な固定方法により、眼内レンズ１は確実に後房に固定される。
【００４０】
本発明の眼内レンズ１は、患者による眼の焦点を合わせようとする作用（反射作用）によってレンズ２の位置が前後に動かせる機能を備えている。その機能を図５を参照しながら説明する。
【００４１】
医学的知見によれば、人間が眼の焦点を合わせようとする場合、図５に矢印２００で示された方向に力が作用する。この力は眼内レンズ１の脚部４を図５のように歪ませる。つまり、屈曲部４１がレンズ２の方向に押し付けられて、脚部４の根元部４２、中間部４３がレンズ２に対してより直交に近い姿勢に変化する。
【００４２】
これにより、根元部４２の姿勢が矢印２０１の方向に変化し、レンズ２が眼内前方へ押し出される。矢印２００の力がなくなったらレンズ２は元の位置に戻る。このようにレンズ２が前後に移動すると、レンズ２によって網膜上に明確なイメージが結像する視覚対象までの距離も変化することになる。これにより、眼内レンズ１を装着した患者は、自分から単一距離の対象のみでなく、ある距離範囲内の対象に対して焦点を合わせて見ることができる。
【００４３】
図６から図１０には本発明の眼内レンズの別の実施形態が示されている。なお以下の実施形態においては、図１から図３と同様の部位は同じ符号で示し、重複する説明は省略する。
【００４４】
図６、図７の実施例２の眼内レンズ１ａは、脚部４の先端が周方向に連結して環状部５を形成している例である。この例においては、脚部が、図１等と同様に屈曲部４０を有し、脚部４は、レンズ２あるいは挟持部３０の側縁からまず眼内後方に向けて延設され、屈曲部４０で屈曲して眼内前方の環状部５へ向かう。
【００４５】
図７に示されるとおり、環状部５は、その断面形状が眼の視軸方向（例えば図２における図示上下方向）に短い扁平な形状として形成されている。図６、図７の実施例２の眼内レンズ１ａは、挟持部３で虹彩の裏側の一部を挟持するとともに、環状部５を毛様溝１０３に全周に渡って挿入し、環状部５の径方向外方端部が毛様溝１０３の例えば最奥部に当接するように眼内に配置すればよい。環状部５が全周に渡って毛様溝に当接するので、安定した固定が実現される。その際、環状部５が扁平形状であることが毛様溝への挿入に好適となる。
【００４６】
図８には、実施例３の眼内レンズ１ｂが示されている。図８の例は、脚部４が６本の例である。この例においても、６本の脚部４の先端を毛様溝の最奥部に挿入して固定する。本発明では、図１のように脚部４を４本、図８のように脚部４を６本とすることに限定せず、脚部４は８本、１０本など任意の本数（偶数）でよい。
【００４７】
図９には、実施例４の眼内レンズ１ｃが示されている。この眼内レンズ１ｃは、図５における環状部５を全周に渡っては形成しない例である。この例では、挟持部３の左右両側に隣り合う脚部４の先端の間のみを連結するように円弧部５ｃが形成されている。この例に限らず本発明では、図６の環状部の一部のみを形成する形状も可能である。
【００４８】
図１０には、実施例５の眼内レンズ１ｄが示されている。この眼内レンズ１ｄでは、脚部と挟持部とを兼用する構造を備える。具体的には、レンズ２と同程度な幅を有し、厚さ方向（視軸方向）が薄い板形状（扁平な形状）の板状部４ｄを、レンズ２の図示左右に１個ずつ備える。板状部４ｄの中間付近には切れ込み部３１があり、これが虹彩の裏側を挟持して挟持部となる。さらに板状部４ｄの先端側が脚部に相当し、毛様溝の例えば最奥部に先端を当接する。すなわち本発明の眼内レンズは、前記延設部と前記挟持部とを兼用する板形状の板状部を備え、前記挟持部は、前記板状部の中間部（中央とは限らない）に形成されて、虹彩を挟持する切れ込み部であり、前記板状部の先端が毛様溝の内部に当接するとしてもよい。
【００４９】
板状部４ｄは、平坦な板を３箇所で折り曲げた形状とすればよい。すなわち図１０において、切れ込み部３１と交差する破線が、眼内前方に突出する折り曲げ線であり、破線４０ｄが眼内後方に突出する折り曲げ線であり、破線４１ｄが眼内前方に突出する折り曲げ線である。そして破線４１ｄよりも先端側は横方向（視軸と直交方向）に延びるとすればよい。
【００５０】
以上の形状により、切り込み部３１が眼内前方へ突出するので虹彩を挟持しやすく、また破線よりも先端側は毛様溝内に挿入しやすい。また上述の３箇所の折り曲げ線の作用により、上述の図５と同様に矢印２００の力が働いたら、レンズ２が前方に動き、その力が働かなくなくなったら、レンズ２は後方に戻る。図１０の形状の場合、脚部などが太く形成されているので、強度が向上する。
【００５１】
図１０の眼内レンズ１ｄは、図１１のように変形してもよい。図１１の実施例６では、板状部４ｄにおいて、切れ込み部３１の周辺を深くえぐった形状としている。この形状の場合、虹彩に不必要な部分が接触することが回避されたり、切れ込み部３１の所での折り曲げが容易となったりすることにより、切れ込み部３１による確実な挟持に好適となる。
【００５２】
本発明の眼内レンズにおいては、脚部の先端形状は多様な形態があり得る。図１２から図１５には脚部の先端形状の４つの例が示されている。
【００５３】
図１２の例では、脚部４の先端４５ａは曲面形状となっている。この例では、毛様溝の最奥部（内部）に曲面が面接触して、確実に脚部４が毛様溝に固定される。図１３の例では、脚部４の先端４５ｂは角部を有する尖った形状となっている。この例では、毛様溝の最奥部（内部）に角部が突き当たって、確実に脚部４が毛様溝に固定される。
【００５４】
図１４の例では、脚部４の先端４５ｃは球形状となっている。この例では、毛様溝の最奥部（内部）に球形状により面接触して、確実に脚部４が毛様溝に固定される。図１５の例では、脚部４の先端４５ｄは平面形状となっている。この例では、毛様溝の最奥部（内部）に平面的に面接触して、確実に脚部４が毛様溝に固定される。
【００５５】
なお図１２から図１５の脚部４は板形状（扁平な形状）として、図１２から図１５は視軸と直交方向の面のみを示しているとしてもよい。その場合、例えば図１３の先端４５ｂは毛様溝の最奥部に線接触する。
【００５６】
本発明の眼内レンズにおいては、脚部の先端形状に、さらに以下に示す変形を加えてもよい。図１６から図１８を参照しながら、それを説明する。
【００５７】
発明者が新たに得た知見によれば、水晶体摘出後に毛様体１０２は肥大（変形）する傾向が見られる。この肥大（変形）においては、例えば図１６に示されたように、毛様溝１０３を狭くするような変形が生じる。これにより、毛様溝の表面に存在する凹凸形状が虹彩１０１側に近づくこととなる。
【００５８】
この変形に対応する（あるいは、この変形を利用する）ために、図１７に示すように、脚部４の先端４５の近傍に凹部４６を形成することが好適である。凹部４６を形成する位置は、脚部４において、眼内固定時に、虹彩とは逆側（毛様体と対向する側）となり、肥大（変形）した毛様溝に当接することができる程度に先端に近い位置とすればよい。
【００５９】
これにより、図１８に示すとおり、脚部４の凹部４６内に、毛様体１０２の凸部が挿入されて、脚部４の毛様溝への固定がさらに確実になる。凹部４６は、上述の図１、図１２から図１５の脚部、さらには他の形状の脚部４や図７の環状部、図９の円弧部であっても、その先端（の近傍）に形成すれば図１８に示された機能を実現する。また本発明では、凹部の形成に限定せずに、毛様溝１０３内の凹凸形状と嵌合する凹凸部（あるいは凹部、凸部）を形成するとしてもよい。
【００６０】
以上説明した眼内レンズにおいては、毛様溝の内部に当接する構造（脚部、環状部など）を形成したが、本発明の眼内レンズはそれに限定されず、さらに毛様体に当接する構造を形成してもよい。その例が図１９から図２５に示されている。
【００６１】
図１９は実施例７の眼内レンズ１ｅの斜視図であり、図２０はその側面図である。眼内レンズ１ｅは、脚部４の中間部４３の側面から分岐して、眼内の後方に向かって斜め方向に延設された副脚部４’を備える。眼内レンズ１ｅの正面図は例えば図３と同様とすればよい。すなわち、副脚部４’の正面から見た延設方向は脚部４と同じ方向とすればよい。あるいは副脚部４’の正面から見た延設方向は脚部４の延設方向と異なってもよい。また副脚部４’は図１９、図２０の構造に限定されず、脚部４のどの部分から分岐してもよく、あるいはレンズ２の側縁から延設された形態でもよい。
【００６２】
眼内レンズ１ｅを眼内に装着した状態の例が図２１に示されている。上述のとおり、挟持部３が虹彩の一部を挟持し、脚部４の先端部４４は毛様溝１０３の内部に当接し、副脚部４’はその先端が毛様体１０２に当接する。上述のとおり水晶体摘出後は毛様体１０２が肥大する傾向があるので、副脚部４’の先端は確実に毛様体１０２の表面に当接する。挟持部３による虹彩１０１の挟持、脚部４の毛様溝１０３の内部への当接に、さらに副脚部４’の毛様体１０２への当接が加わって、複合的に眼内レンズ１ｅは眼内（後房）に固定される。
【００６３】
眼内レンズ１ｅは、副脚部４’の形成によって、患者による焦点合わせの機能がさらに向上する。その様子が図２２に示されている。発明者の知見によれば、眼内レンズ１ｅを眼内に装着した患者が、眼の焦点を対象に合わせようとする場合、上述の矢印２００で示された方向の力に加えて、毛様体１０２にも力２００’が作用する。力２００’は副脚部４’を図示の矢印２００”の方向に押圧する。
【００６４】
こうした作用が、上述のとおり力２００が脚部４を押圧する作用と合成されて、脚部４を歪ませて、脚部４の根元部４２の姿勢が矢印２０１の方向に大きく変化させる。これによりレンズ２が眼内前方へ大きく押し出される。矢印２００、２００’の力がなくなったらレンズ２は元の位置に戻る。
【００６５】
すなわち眼内レンズ１ｅでは、毛様溝１０３の運動だけでなく、毛様体１０２の運動も伝えられて、レンズ２が前後に動く。そして毛様溝１０３の運動のみが伝えられる場合よりも、レンズ２の前後移動幅が大きくできる。さらに発明者が得た知見によれば、毛様溝の伸縮運動よりも毛様体の伸縮運動の方が相対的に大きい。したがって副脚部４’の形成によって、眼内レンズ１ｅにおけるレンズ２の前後移動幅は大きくなる。
【００６６】
レンズ２の前後へ移動範囲がより大きくなれば、レンズ２によって網膜上に明確なイメージが結像する視覚対象までの距離もより大きく変化させることができる。したがって、眼内レンズ１ｅを装着した患者は、自分から相対的に大きな距離範囲内の対象に対して焦点を合わせて見ることができる。
【００６７】
本発明の眼内レンズにおける毛様体１０２へ当接する構造は上記例に限定されず、毛様体１０２へ当接するあらゆる構造を用いることができる。例えば上述の図６、図７の眼内レンズ１ａに副脚部４’を付加してもよい。そうした実施例８が図２３に示されている。図２３は、実施例８の眼内レンズ１ｆの、図７に対応するＡ−Ａ断面図である。
【００６８】
眼内レンズ１ｆの正面図は図６と同様とすればよい。すなわち、副脚部４’の正面から見た延設方向は脚部４と同じ方向とすればよい。あるいは副脚部４’の正面から見た延設方向は脚部４の延設方向と異なってもよい。眼内レンズ１ｆにおいては、上述のとおり挟持部３が虹彩の一部を挟持し、環状部５が周方向に渡って毛様溝の内部に当接し、副脚部４’はその先端が毛様体に当接する。こうして複合的な構造により、眼内レンズは確実に眼内に固定される。
【００６９】
上述の図１７、図１８で示された脚部４の先端への凹部（凸部、凹凸部）の形成を、副脚部４’の先端に対して行ってもよい。その例が図２４、図２５に示されている。図２４の例では、副脚部４’の先端４５’の近傍に凹部４６’が形成されている。この凹部４６’は上述の眼内レンズ１ｅ、１ｆの副脚部４’の先端とすればよい。
【００７０】
これにより、眼内レンズを眼内に装着すると、図２５に示すとおり、副脚部４’の凹部４６’内に、毛様体１０２の凸部が挿入されて、副脚部４’は毛様体１０２の表面に確実に固定される。凹部４６’は、上述の眼内レンズ１ｅ、１ｆに限らず、眼内レンズに形成された毛様体への当接部位の先端に形成すればよい。また単一の凹部４６’の形成に限定せずに、毛様体１０２表面の凹凸形状と嵌合する凹凸形状（例えば複数の凹部、凸部）を形成すればよい。
【００７１】
以上説明した本発明の実施形態は、特許請求の範囲に記載された趣旨を逸脱しない限りにおいて適宜変更可能である。例えば挟持部の形状、構造は、上記のアーム形状の例に限定されず、虹彩１０１の後房側の少なくとも一部を挟持し、かつレンズ２と虹彩１０１との間に間隔を形成できるような形状、構造であればよい。また脚部４の形状は、上記実施例では２箇所で屈曲した形状としたが、本発明はそれに限定されず、より多くの箇所（３箇所、４箇所、など）で屈曲する形状でもよい。あるいは屈曲する向きを上述の図示とは異なったものとしてもよい。また屈曲部は角部を有する屈曲でなく、曲線的（Ｒ形状）に屈曲してもよい。
【００７２】
また上記説明では、挟持部３、延設部（脚部４、環状部５）、副延設部４’をともに備える形態を説明したが、本発明においては、そのうちいずれかのみ、あるい一部の組み合わせのみを備えるとしてもよい。例えば挟持部３を備えずに、延設部（脚部４、環状部５）のみを備える構成としてもよい。それらの形状は、単に図１から図１０において挟持部３を削除するのみで得られる。
【符号の説明】
【００７３】
１    眼内レンズ
２    レンズ（レンズ部）
３    アーム（挟持部）
４    脚部（延設部）
４’    副脚部（副延設部）
５    環状部（延設部）
【図１】
0005383782.tif 000002
【図２】
0005383782.tif 000003
【図３】
0005383782.tif 000004
【図４】
0005383782.tif 000005
【図５】
0005383782.tif 000006
【図６】
0005383782.tif 000007
【図７】
0005383782.tif 000008
【図８】
0005383782.tif 000009
【図９】
0005383782.tif 000010
【図１０】
0005383782.tif 000011
【図１１】
0005383782.tif 000012
【図１２】
0005383782.tif 000013
【図１３】
0005383782.tif 000014
【図１４】
0005383782.tif 000015
【図１５】
0005383782.tif 000016
【図１６】
0005383782.tif 000017
【図１７】
0005383782.tif 000018
【図１８】
0005383782.tif 000019
【図１９】
0005383782.tif 000020
【図２０】
0005383782.tif 000021
【図２１】
0005383782.tif 000022
【図２２】
0005383782.tif 000023
【図２３】
0005383782.tif 000024
【図２４】
0005383782.tif 000025
【図２５】
0005383782.tif 000026